(57)【特許請求の範囲】
【請求項１】
高周波磁界の測定用デバイスであって、その特徴が、共通の支持体（１０）上に、
一次受信アンテナを形成するコイルと、
電圧制御発振器であって、その出力周波数が一次アンテナを形成するコイルで受信される磁界の振幅に依存するように統制される該電圧制御発振器と、
該発振器の出力に接続されている吸収変調負荷と、
二次アンテナ（２２）であって、該電圧制御発振器による負荷への電力供給から生じる吸収変調に影響を受ける磁界に対して感度を持っている該二次アンテナと、
該二次アンテナ（２２）の出力信号から、磁界の値を表す情報を決定するようにプログラムされた処理手段（３０）と、
を有することである、前記デバイス。
【請求項２】
支持体（１０）が非磁性材料から作られたカードからなることを特徴とする、請求項１記載のデバイス。
【請求項３】
支持体上に一体統合されたチップを有し、該チップが一次アンテナ、電圧制御発振器および吸収変調負荷を含むことを特徴とする、請求項１または２のいずれかに記載のデバイス。
【請求項４】
磁界の値を表示するように構成されたディスプレイユニット（３６）をも有することを特徴とする、請求項１〜３の１項に記載のデバイス。
【請求項５】
吸収変調負荷が抵抗から形成されていることを特徴とする、請求項１〜４の１項に記載のデバイス。
【請求項６】
吸収変調負荷が電流発生器を有することを特徴とする、請求項１〜４の１項に記載のデバイス。
【請求項７】
二次アンテナが、一次コイル、電圧制御発振器および吸収変調負荷によって形成されたアセンブリの周りにタイトに巻かれた数巻の電気的導体からなることを特徴とする、請求項１〜６の１項に記載のデバイス。
【請求項８】
処理手段が、二次アンテナ（２２）からの出力に接続されている復調器（３１）を有することを特徴とする、請求項１〜７の１項に記載のデバイス。
【請求項９】
復調器からの出力においてフィルター（３２）を有することを特徴とする、請求項８に記載のデバイス。
【請求項１０】
処理手段が、論理レベルの周波数出力信号を出力する比較器システム（３４）を始動させるための高ゲイン増幅器（３３）を有することを特徴とする、請求項１〜９の１項に記載のデバイス。
【請求項１１】
一次アンテナを形成するコイル（ＡＰ）からの出力が、ＤＣ電圧（ＶＤＤ）を出力するために、整流器（Ｒ）によって整流されかつキャパシタ（Ｃ）によってフィルターをかけられ、該ＤＣ電圧は、電圧制御発振器（ＶＣＯ）に入力されかつ該電圧制御発振器を制御し、かつ、
吸収変調負荷（ＭＡ）が、該電圧制御発振器（ＶＣＯ）からの出力を通して制御されるスイッチングトランジスタ（Ｔ）と直列に接続されていることを特徴とする、請求項１〜１０の１項に記載のデバイス。
【発明の詳細な説明】
【０００１】
本発明は、磁界の測定の分野に関する。
【０００２】
より正確には、本発明は、一定の振幅（アンプリチュード、amplitude）および周波数を有する高周波磁界の正確（パンクチュアル）な測定用デバイスに関する。
【０００３】
本発明は、非接触カードリーダー、特に、一体統合された（integrated）コイルを有するコンポーネント用のリーダーに、とりわけ適用可能であるが、それに限定されない。
【０００４】
本発明の目的は、非接触カードリーダーのようなデバイスによって発生する磁界を測定することができるデバイス、特に約１０-3テスラの磁界を有するシステム用のデバイスを提案することである。
【０００５】
本発明者の知る限り、このタイプの適用に対して充分に満足できるデバイスは、今のところ計画されていない。
【０００６】
上記目的は、本発明の範囲内において次のデバイスによって達成される。即ち、高周波磁界の測定用デバイスであって、その特徴は、共通の支持体（１０）上に、
一次受信アンテナを形成するコイルと、
電圧制御発振器であって、その出力周波数が、一次アンテナを形成するコイルで受信される磁界の振幅に依存するように統制される、該電圧制御発振器と、
該発振器の出力に接続されている吸収変調負荷と、
二次アンテナ（２２）であって、該電圧制御発振器による負荷への電力供給から生じる吸収変調に影響を受ける磁界に対して感度を持っている該二次アンテナと、
該二次アンテナ（２２）の利用可能な信号を使用するための処理手段（３０）と、
を有することである。
【０００７】
本発明の別の有利な特徴によれば、支持体は、非磁性材料から作られたカードからなる。
【０００８】
本発明の別の有利な特徴によれば、当該デバイスは、支持体上に集積されたチップを有し、該チップは一次アンテナ、電圧制御発振器および吸収変調負荷を含んでいる。
【０００９】
他の特徴、目的および利点は、非限定的な例として挙げた添付の図面を参照して、以下の詳細な説明を読めば明らかになるであろう。そして添付の図面では、図１は、本発明によるデバイスを概略的に示しており、図２は、一次アンテナ、電圧制御発振器および変調負荷によって形成されたアセンブリの詳細図を示している。
【００１０】
添付の図１は、非接触カードリーダーの誘導コイル１と、支持体を形成するカード１０とを概略的に示しており、該カードは、非磁性材料から作られており、本発明による測定デバイスに使用される全てのコンポーネントを担持している。
【００１１】
代表的には、ただし限定はされないが、誘導コイル１は、周波数１３．５６ＭＨｚで約１０-3テスラの振幅を有する高周波磁界を発するように適合させられている。
【００１２】
代表的には、ただし限定はされないが、カード１０を形成する支持体の寸法は、５５×８５ｍｍである。
【００１３】
本発明によるデバイスは、構造については後でより詳細に記載するが、第１に、小さなセンサ２０（これは、誘導コイル１の磁界中に挿入され、捕捉されたエネルギーに関する情報を外部に伝達することができる）と、第２に、この情報を処理する手段３０（これは、該センサ２０が位置している正確な位置での磁界の値を増幅、計算し、かつ直接の読出しとしてディスプレイユニット３６に表示するためのものである）とからなる。
【００１４】
センサ２０は、次に示すものによって構成される。
第１に、小さな電子チップ２１（例えば、面寸法１．４ｍｍ）。該チップは、一次受信アンテナＡＰを形成する一体統合されたコイルと、ＶＣＯすなわち電圧制御発振器（この周波数は、チップ２１が位置している磁界に依存する）と、該ＶＣＯからの周波数情報を外部に伝達するための吸収変調デバイスＭＡとを有する。
第２に、アンテナ２２。該アンテナは、数回巻き（例えば、２回巻き）、かつ電子チップ２１の周りにタイトに巻かれて二次アンテナを形成する電気的導体によって構成される。
【００１５】
好ましくは、吸収変調デバイスＭＡは、電圧制御発振器からの出力に接続されている抵抗Ｒmodから形成されている。さらに、この電圧制御発振器は、好ましくは、約５００と１５０００Ｈｚとの間の周波数を有する信号を発するように適合させられている。
【００１６】
電圧制御発振器の、磁界／周波数伝達関数は、好ましくは、実験室にて較正される。
【００１７】
処理手段３０は、二次アンテナ２２からの出力に接続されている。よって、処理手段３０は信号を受信し、その基礎周波数は、誘導コイルの発生周波数に相応し、またその振幅は、電圧制御発振器によって発生する周波数と同じレートで変調され、この周波数は、チップ２１上で受信される磁界の振幅を表すものとなっている。
【００１８】
二次アンテナ２２に利用可能な信号を使用するための処理手段には、いくつかの可能な変形体がある。
【００１９】
添付の図１に例示した、特定のしかし非限定的な実施態様によれば、これらの処理手段は、次のものを有する。
振幅復調器３１。これは、センサ２０からの出力に、より正確には二次コイル２２からの出力に接続されており、該復調器３１は、数ミリボルトのオーダーの低レベルで周波数情報を出力するものである。
復調器３１からの出力に接続されているＲＣ３２フィルター。
増幅器アセンブリ３３。これは、フィルター３２からの出力に接続されており、下記比較器システム３４を始動させる（トリッガーを行う）のに十分なゲインを有するものである。
下記処理装置３５とコンパチブルな論理レベル周波数出力信号を提供する比較器システム３４。
処理装置３５。これは、好ましくはスタンダードなマイクロコントローラ（例えば、モトローラのＭＣ６８ＨＣ１１マイクロコントローラ）を用いている。
【００２０】
このマイクロコントローラ３５は、周波数情報に基いてかつ上記の伝達関数を用いて、チップ２１上に有効な準パンクチュアルな磁界の値を計算するようにプログラムされている。
【００２１】
マイクロコントローラプログラム３５はまた、磁界の値（好ましくは、ガウスにして計算されたもの）を、リアルタイムでディスプレイ３６に表示することをマネージする。このディスプレイは、好ましくは、液晶ディスプレイであり、カード支持体１０上に一体化されている。しかし、必要であれば、ディスプレイは、カード支持体１０の外部にあるモジュール上の他の場所に配置してもよい。
【００２２】
本発明は、一定の振幅および周波数を有する高周波磁界を測定する分野における用途、特に、非常に近接した非接触カードリーダーにおいて使用される誘導コイル１の調整に使用してもよい。
【００２３】
添付の図２は、一次アンテナＡＰ、電圧制御発振器ＶＣＯおよび変調負荷ＭＡを含むチップ２１の実施態様を例示している。
【００２４】
この例では、一次アンテナＡＰからの出力において利用可能な交流電圧は、整流器Ｒによって整流され、そしてキャパシタＣによってフィルターがかけられ、ＤＣ電圧ＶＤＤが出力される。この電圧は、電圧制御発振器ＶＣＯへ入力され、かつ、ＶＤＤによって電力供給された抵抗分割ブリッジＲ１／Ｒ２を通してＶＣＯを制御する。変調抵抗Ｒmodは、供給電力ＶＤＤのターミナルにおいて、スイッチングトランジスタＴの主伝導路と直列に配置されている。該トランジスタＴは、ＶＣＯからの出力を通して制御される。
【００２５】
変調抵抗Ｒmodを通過するＤＣ電流は、ＶＣＯと同じ周波数で切断（chop)され、該周波数は一次アンテナＡＰで受信される磁界の振幅によって決まる。一次アンテナＡＰを通過する１３．５６ＭＨｚの交流電流は、それで変調される。
【００２６】
一次アンテナＡＰと二次アンテナ２２とは、近接して連結されており、この電流は二次アンテナ２２において起電力（ＥＭＦ）を誘起する。このＥＭＦは、リーダーの誘導コイル１によって誘起されるＥＭＦに付加される。
【００２７】
従って、得られるＥＭＦは、ＶＣＯの周波数で振幅がわずかに変調された１３．５６ＭＨｚの交流電圧である。
【００２８】
変調抵抗Ｒmodは、検出可能なＥＭＦを提供する電流を発生させるために十分に低くなければならないが、あまりに低すぎて、ＶＣＯへパワーを供給する補償されたＤＣ電圧が低下するのを防止できないというのであってはならない。例えば、それは２０ｋΩであり得る。
【００２９】
明らかに、本発明は、記載した特定の実施態様に限定されるものではないが、その精神と一致するいかなる変形も含む。
【００３０】
電力を消費することができるいかなるデバイスも、変調に使用することができる。例えば、抵抗は電流発生器によって置き換えることができる。
【図面の簡単な説明】
【図１】  図１は、本発明によるデバイスを概略的に示す。
【図２】  図２は、一次アンテナ、電圧制御発振器および変調負荷によって形成されたアセンブリの詳細図を示す。
【図１】
0004593876.tif 000002
【図２】
0004593876.tif 000003